(57)【要約】【課題】遊技盤が膨張しても遊技盤取付枠が破壊されるようなことがなく、常に安定した状態で使用することができ、しかも、回動動作が簡単に行なえるようにした遊技盤固定用締付具を提供する。【解決手段】遊技盤２１を嵌入して取付けるための遊技盤取付枠２０に挿通される取付軸１と、前記遊技盤取付枠２０から突出する前記取付軸１に回動自在に枢支される回動腕２と、前記回動腕２と別個に成形されかつ該回動腕２に一定の回動角度まで前記取付軸１に接触しないように軸着され、前記遊技盤２１の背面２１ｂに圧接し得る係止部材３と、前記取付軸１に取付けられ前記係止部材３を前記遊技盤２１の前面側に押圧する押圧部材４と、から構成される。【選択図】　図２
2004041595.tif 000002
【特許請求の範囲】
【請求項１】
遊技盤を嵌入して取付けるための遊技盤取付枠に挿通される取付軸と、前記遊技盤取付枠から突出する前記取付軸に回動自在に枢支される回動腕と、前記回動腕と別個に成形されかつ該回動腕に一定の回動角度まで前記取付軸に接触しないように軸着され、前記遊技盤の背面に圧接し得る係止部材と、前記取付軸に取付けられ前記係止部材を前記遊技盤の前面側に押圧する押圧部材と、からなることを特徴とする遊技盤固定用締付具。
【請求項２】
前記回動腕は、前記係止部材が軸着される取付凹部と該取付凹部から延設される腕部とからなり、前記取付凹部の底壁の外側面より腕部の外側面の方が高く成形されている請求項１記載の遊技盤固定用締付具。
【発明の詳細な説明】
【０００１】
【発明の属する技術分野】
本発明は、弾球遊技機に遊技盤を固定するための遊技盤固定用締付具に関するものである。
【０００２】
【従来の技術】
この種の遊技盤固定用締付具として、例えば図８に示すようなものが知られている。この遊技盤固定用締付具１００は、遊技盤取付枠の前後方向に貫設された段付きの挿通孔に挿通される金属製の取付軸１０１と、この取付軸１０１に回動自在に枢支される金属製の係止部１０２と、この係止部１０２の一側に一体に成形される回動腕１０３と、前記取付軸１０１に取付けられ前記係止部１０２を遊技盤の前面側に押圧するスプリング１０４、ナット１０５といった押圧部材１０６と、から概ね構成されている。
【０００３】
一方、遊技盤取付枠には合成樹脂製のものがあり、その前側から挿通孔に取付軸１０１を挿通すると共に該取付軸１０１の頭部１０１ａを挿通孔内の段部に当接し、前記遊技盤取付枠から後方へ突出する取付軸１０１に係止部１０２の軸筒部１０２ａとスプリング１０４を嵌合すると共に先端の螺子部にナット１０５を螺締めすることにより、遊技盤固定用締付具１００を取付けるようにしている。そして、遊技盤を遊技盤取付枠に嵌入した状態で、各遊技盤固定用締付具１００の回動腕１０３を回動させ、係止部１０２を遊技盤の背面に圧接するようにしている。
【０００４】
また、図示は省略するが他の遊技盤固定用締付具として、前記係止部１０２及び回動腕１０３が合成樹脂材により一体に成形されているものが有る。
【０００５】
【発明が解決しようとする課題】
前記遊技盤は、その背面が遊技盤取付枠の後端面とほぼ同一面となるように設定されている。一方、前記係止部１０２における遊技盤の背面に圧接する部位の外側面は、回動腕１０３など他の部位の外側面よりも僅かに低く成形されており、遊技盤の背面に係止部が圧接したときは、係止部１０２にはこれを曲げようとする同じ力の反力が加わる。これにより、軸筒部１０２ａに取付軸１０１が少ない許容差で挿通されていることもあって、通常、軸筒部１０２ａを介し取付軸１０１に曲げようとする力が働いている。
【０００６】
ところで、季節によって湿度が多いと遊技盤が湿気を吸って膨張し、その厚さを増す（例えば、約０．５〜０．８ｍｍ増す。）ことが有る。このような状態になると、前記反力が増大してさらに取付軸１０１を曲げようとし、ついには、前記挿通孔における頭部１０１ａと当接する段部部位が抉られて破壊されてしまい、遊技盤を圧接して固定するという本来の機能が果せないという課題が有る。
【０００７】
また、前記係止部１０２と回動腕１０３の外側面は、これらほとんど前面がスプリング１０４により遊技盤の背面または遊技盤取付枠の後端面に押圧されるので、その摩擦力が障害となって遊技盤固定用締付具１００の回動動作を困難にしている。このことは作業性に課題が残る。
【０００８】
前記係止片及び回動腕が合成樹脂材により一体に成形されている遊技盤固定用締付具にあっては、前記のように遊技盤が膨張すると、その増した厚み分係止片が折れ曲り、これが長く続くと、弾性が消失してそのままの姿勢で固定化されてしまい、遊技盤を押圧する十分な力が発揮し得なくなるという課題がある。
【０００９】
そこで、本願発明は、前記課題を解決すべくなされたもので、湿気を吸収して遊技盤が膨張しても遊技盤取付枠が破壊されるようなことがなく、常に一定の締付力が作用して安定した状態で使用することができ、しかも、回動動作が簡単に行なえる遊技盤固定用締付具を提供することを目的とするものである。
【００１０】
【課題を解決するための手段】
かかる目的を達成するため、本発明は、遊技盤を嵌入して取付けるための遊技盤取付枠に挿通される取付軸と、前記遊技盤取付枠から突出する前記取付軸に回動自在に枢支される回動腕と、前記回動腕と別個に成形されかつ該回動腕に一定の回動角度まで前記取付軸に接触しないように軸着され、前記遊技盤の背面に圧接し得る係止部材と、前記取付軸に取付けられ前記係止部材を前記遊技盤の前面側に押圧する押圧部材と、から構成される。
【００１１】
そして、遊技盤取付枠の前側から取付軸を挿通孔に挿通すると共に遊技盤取付枠の後端面から後方へ突出する取付軸に回動腕、係止部材、スプリングを嵌合し、さらに、その先端の螺子溝にナットを螺締めすることにより、遊技盤固定用締付具が取付けれられる。そして、遊技盤を遊技盤取付枠に嵌入した状態で、各遊技盤固定用締付具の回動腕を回動させ、係止部材を遊技盤の背面に圧接する。
【００１２】
よって、前記遊技盤が湿気を吸収してその厚みが増しても、係止部材が回動してその力が押圧部材、正確にはスプリングに吸収され、しかも、係止部材が取付軸に接触するようなことがないので、取付軸に強い曲げ力が働くことはない。よって、遊技盤取付枠における挿通孔内の段部に無用な力が加わらず、その部位での破壊が防止される。
【００１３】
また、前記回動腕を、前記係止部材が軸着される取付凹部と該取付凹部から延設される腕部とから成形し、さらに、前記取付凹部の底壁の外側面より腕部の外側面の方を高く成形すれば、腕部が遊技盤取付枠の後端面に接触することがなくなり、全体の接触面積が小さくなるので、遊技盤固定用締付具の回動動作が簡単に行え、作業性が良い。
【００１４】
【発明の実施の形態】
以下、本発明に係る遊技盤固定用締付具の実施の形態を図面と共に説明する。本発明は、パチンコ遊技機、アレンジボール、雀球等の弾球遊技機について適用されるが、この実施の形態では、その一例としてパチンコ遊技機について説明する。図１は遊技盤固定用締付具の斜視図、図２は同分解斜視図である。
【００１５】
遊技盤固定用締付具Ａは、金属製からなり、後記する遊技盤２１を嵌入して取付けるための遊技盤取付枠２０の前後方向に挿通される取付軸１と、前記取付軸１に回動自在に枢支される回動腕２と、前記回動腕２と別個に成形されかつ回動する初期動作時には前記取付軸１に接触しないようにして前記回動腕２に軸着され、前記遊技盤２１の背面２１ｂに圧接し得る係止部材３と、前記取付軸１に取付けられ前記係止部材３を前記遊技盤２１の前面側に押圧する押圧部材４と、から概ね構成される。
【００１６】
前記取付軸１は、先端に六角形状の頭部５が設けられ、後端部の外周面に螺子溝６が刻設されている。回動腕２は、その一端に回動腕２の長手方向と直交し両端面が開放される取付凹部７が設けられ、対向する両側壁７ａの一端寄りに支持軸８を挿通して支持する支持孔９が設けられると共に底壁７ｂに前記取付軸１が挿通される第一透孔１０が開設されている。前記取付凹部７における一方の側壁７ａの外面には腕部２ａが延設される。この場合、前記取付凹部７の底壁７ｂの外側面より腕部２ａの外側面の方が高く成形されている。また、前記支持軸８は、腕部２ａの長手方向と平行に配置されることになる。
【００１７】
係止部材３は、前記取付凹部７内に腕部２ａの長手方向に対し直交するようにして配置され、横断面がＵ字状をなす。そして、係止部材３の基端側の両側壁１１ａに前記支持軸８が挿通される透孔１２が設けられ、底壁１１ｂには前記第一透孔１０と合致し前記取付軸１が遊挿される第二透孔１３が開設される。また、係止部材３の先端部には遊技盤２１の背面２１ｂを前面側へ圧接する圧接板部１４が設けられている。この圧接板部１４の外側面は、前記底壁１１ｂの外側面よりも前記取付凹部７の底壁７ｂの厚み分程度低く成形されている。これにより、係止部材３は前記支持軸８を中心にして自在に回動することになる。
【００１８】
押圧部材４は、取付軸１に外嵌するスプリング１５、その螺子溝６に螺合するナット１６ａ、袋ナット１６ｂとからなる。各第一・第二透孔１０，１３に取付軸１を挿通して、さらに取付軸１にスプリング１５等の押圧部材４を取付けた状態では、該スプリング１５により係止部材３が前記取付凹部７の底壁７ｂ側へ圧接されることになる。また、前記第二透孔１３の内径は、取付軸１の外径よりもやや大きく、係止部材３が一定の回動角度まで、取付軸１の外周面が第二透孔１３の内周面には接触しないようになっている。この一定の回動角度は、遊技盤２１が湿気を吸収して膨張することにより係止部材３が回動する最大限の角度以上の角度である。
【００１９】
次に、前記遊技盤固定用締付具Ａが適用されるパチンコ遊技機について説明する。図３はパチンコ遊技機の正面図、図４は遊技盤を取付けた状態の前面枠の裏面斜視図、図５は遊技盤を取外した状態の前面枠の裏面斜視図である。パチンコ遊技機Ｐは、縦長方形枠状の機枠１７を有し、その前面に額縁状の前面枠１８が回動自在に装着されている。前記前面枠１８の中央にはほぼ円形状の窓開口１９が開設される。また、その後面に前記窓開口１９を囲うようにして方形状の遊技盤取付枠２０が設けられている。
【００２０】
そして、この遊技盤取付枠２０に嵌入させることにより、窓開口１９に臨むようにして遊技盤２１が取付けられることになる。詳しくは、前記窓開口１９の内周縁に外側案内レール２２ａが張設され、遊技盤２１前面の内側案内レール２２ｂで囲まれる遊技部２１ａが窓開口１９に臨む。
【００２１】
前記前面枠１８の前面には、遊技盤２１前面の遊技部２１ａを覆う透明な二枚のガラス板２３を備えたガラス扉枠２４及び遊技盤２１の下部を覆う前面板２５が装着されている。前記前面板２５の前面に、貯留された弾球であるパチンコ球を打球発射部（図示せず。）に供給するための打球供給皿２６が装着されている。また、前記前面枠１８の下部前面には、前記打球供給皿２６から溢れるパチンコ球を貯留する余剰球貯留皿２７が装着される。２８は、その一側に設けられ、打ち出されるパチンコ球の打球力の強弱を調節する操作ハンドルである。
【００２２】
前記内側案内レール２２ｂで囲まれる遊技部２１ａには、その中央部に可変表示装置２９が装着される。また、その下方にパチンコ球が入賞することにより該可変表示装置２９を電気的に作動させるための始動入賞口３０が装着される。さらに、その下方に可変表示装置２９の表示態様に応じて遊技者にとって有利となる特別遊技状態（所謂大当たりの状態）になったとき、一度に多くのパチンコ球が入り易いように変換する大型の入賞装置３１が設けられている。３２は前記遊技部２１ａの適宜位置に装着される一般入賞口、３３は前記遊技部２１ａの下部に設けられ入賞しなかったパチンコ球を排出しアウト球として処理するアウト球口である。
【００２３】
前記前面枠１８は合成樹脂材により成形され、遊技盤取付枠２０も同材質により成形されている。そして、下部の棚部３４上面に遊技盤２１を載置して嵌め込むようになっている。遊技盤取付枠２０の所定位置に、遊技盤２１を遊技盤取付枠２０内にしっかり固定するため、本発明の遊技盤固定用締付具Ａが取付けられる。その取付部位には、図７に示すように前後方向へ貫通しかつ内部に段部３５ａを設けた挿通孔３５が設けられている。挿通孔３５における段部３５ａから前側は、前記取付軸１の頭部５が挿通できる程度の内径を有し、段部３５ａから後側は前記取付軸１が挿通できる程度の内径を有している。
【００２４】
そして、前記挿通孔３５にその前側から取付軸１を頭部５が段部３５ａに当接するようにして挿通する。次に、遊技盤取付枠２０の後端面から後方へ突出する取付軸１に第一・第二透孔１０，１３及びスプリング１５を嵌合し、さらに螺子溝６にナット１６ａ及び袋ナット１６ｂを螺子締めする。この場合、前記回動腕２における取付凹部７の底壁７ｂの外側面より腕部２ａの外側面の方が高く成形されているので、腕部２ａの外側面は遊技盤取付枠２０の後端面に接触することはない。これにより、摩擦がすくなくなり、回動腕２が取付軸１を中心として簡単に回動し得ることになる。図６実線に示すように腕部２ａが遊技盤取付枠２０に沿ってほぼ平行に位置しているとき、係止部材３が遊技盤取付枠２０の内側へ突出して位置する。また、同図鎖線に示されるように腕部２ａが回動して遊技盤取付枠２０とほぼ直交するように位置しているとき、係止部材３が遊技盤取付枠２０の外側に位置するようにして遊技盤固定用締付具Ａが取付けれらる。
【００２５】
そこで、図７に示すように遊技盤２１を遊技盤取付枠２０に嵌入した状態で、各遊技盤固定用締付具Ａにおける回動腕２の腕部２ａを回動させ、係止部材３を遊技盤２１の背面２１ｂに圧接する。そこで、長い間に前記遊技盤２１が湿気を吸収してその厚みが増しても、図７鎖線に示すように係止部材３が回動してその力がスプリング１５に吸収され、しかも、その係止部材３が取付軸１に接触するようなことはない。これにより、取付軸１にこれを強く曲げようとする力、さらには、遊技盤取付枠２０における挿通孔３５内の段部３５ａに無用な力は働かず、その部位での破壊が防止される。よって、遊技盤固定用締付具Ａの長期使用が可能となる。
【００２６】
なお、本実施の形態では、取付凹部７の両側壁７ａに軸支された支持軸８に係止部材３を枢支するようにしたが、支持軸８を使用せずに係止部材３の底壁１１ｂの裏面に前記支持軸８と平行をなし、かつ取付凹部７の底部７ｂ表面に当接する断面半円形状の凸条を設け、この凸条を支点として係止部材３を回動させるようにしても良く、これにより本実施の形態と同一の作用・効果が得られる。
【００２７】
【発明の効果】
以上、説明したように本発明に係る遊技盤固定用締付具は、特に、係止部材を回動腕と別個に成形し、しかも、該回動腕に一定の回動角度まで前記取付軸に接触しないように軸着したので、常に一定の締付力が作用して安定した状態で使用することができる。また、前記遊技盤が湿気を吸収してその厚みが増しても、係止部材が回動してその力が押圧部材に吸収され、しかも、係止部材が取付軸に接触するようなことがない。これにより、取付軸にこれを強く曲げようとする力、さらには、遊技盤取付枠における挿通孔内の段部に無用な力は働かず、その部位での破壊が防止される。よって、遊技盤固定用締付具の長期使用が可能となるという効果が有る。
【００２８】
また、前記回動腕を、前記係止部材が軸着される取付凹部と該取付凹部から延設される腕部とから成形し、さらに、前記取付凹部の底壁の外側面より腕部の外側面の方を高く成形すれば、腕部が遊技盤取付枠の後端面に接触することがなくなり、全体の接触面積が小さくなるので、遊技盤固定用締付具の回動動作が簡単に行え、作業性が良い。
【図面の簡単な説明】
【図１】本発明に係る遊技盤固定用締付具の斜視図。
【図２】同分解斜視図。
【図３】本発明が適用されるパチンコ遊技機の正面図。
【図４】遊技盤を取付けた状態の前面枠の裏面斜視図。
【図５】遊技盤を取外した状態の前面枠の裏面斜視図。
【図６】遊技盤固定用締付具部位を示す前面枠の裏面図。
【図７】同要部の平面断面図。
【図８】従来の遊技盤固定用締付具の斜視図。
【符号の説明】
１　　　　　　　　取付軸
２　　　　　　　　回動腕
２ａ　　　　　　　腕部
３　　　　　　　　係止部材
４　　　　　　　　押圧部材
７　　　　　　　　取付凹部
７ｂ　　　　　　　底壁
２０　　　　　　　遊技盤取付枠
２１　　　　　　　遊技盤
２１ｂ　　　　　　背面
Ａ　　　　　　　　遊技盤固定用締付具
【図１】
2004041595.tif 000003
【図２】
2004041595.tif 000004
【図３】
2004041595.tif 000005
【図４】
2004041595.tif 000006
【図５】
2004041595.tif 000007
【図６】
2004041595.tif 000008
【図７】
2004041595.tif 000009
【図８】
2004041595.tif 000010